(57)【要約】【課題】入出金の処理速度を向上すること。【解決手段】貨幣釣銭機２００に硬貨収納装置１０を接続し、硬貨収納装置１０の在高を貨幣釣銭機２００が管理する。貨幣釣銭機２００は、商品の代金としての貨幣の入金を受け付け（１）、入金金額を算定してＰＯＳレジスタ２９０に通知する（２）。ＰＯＳレジスタ２９０は、通知された入金金額と商品から読み取った価格とを用いて決済処理を実行し（３）、釣銭金額を貨幣釣銭機２００に通知する（４）。貨幣釣銭機２００は、釣銭金額に応じて硬貨収納装置１０に出金指示を行う（５）。出金指示を受けた硬貨収納装置１０は、出金指示に示された金額分の硬貨の抜き取りによる出金（６）が行われるか否かを監視し、出金指示に示された金額分を超えて硬貨の抜き取りが行われた場合には警報を出力する。【選択図】図１
2017168023.tif 000002
【特許請求の範囲】
【請求項１】
複数の種類の硬貨のいずれかを載置し、載置された硬貨に係るデータ及び種類に係るデータに基づいて、載置された硬貨の在高を特定する特定部と、
前記特定部で特定された硬貨の在高を貨幣処理装置に通知する通知部と
を備えた拡張装置と、
機体内に収納された貨幣の在高及び前記拡張装置から通知された硬貨の在高を管理する管理部を備えた貨幣処理装置と
を有することを特徴とする貨幣処理システム。
【請求項２】
前記拡張装置は、複数の種類の硬貨のいずれかを複数枚重畳して載置することで収納する収納部を備え、前記特定部は、前記収納部に載置することで収納された硬貨の在高を特定することを特徴とする請求項１に記載の貨幣処理システム。
【請求項３】
前記貨幣処理装置は、前記拡張装置から通知された硬貨の在高を所定の表示部に表示制御することを特徴とする請求項１又は２に記載の貨幣処理システム。
【請求項４】
前記貨幣処理装置は、
前記拡張装置に対して出金金額を通知し、
前記拡張装置は、
前記出金金額の通知後に前記収納部から取り出された硬貨の合計金額が通知された出金金額を超える場合に警報を出力する
ことを特徴とする請求項２又は３に記載の貨幣処理システム。
【請求項５】
前記貨幣処理装置は、
前記拡張装置に対して入出金の開始を通知し、
前記拡張装置は、
前記入出金の開始の通知後に生じた硬貨の在高の変化を入出金の結果として前記貨幣処理装置に通知する
ことを特徴とする請求項２、３又は４に記載の貨幣処理システム。
【請求項６】
前記拡張装置は、前記硬貨を一時的に載置する載置部を備え、
前記特定部は、前記載置部に載置された硬貨の在高を特定し、
前記貨幣処理装置は、前記拡張装置から通知された硬貨の在高を機体内に収納予定の硬貨の在高として受け付ける
ことを特徴とする請求項１に記載の貨幣処理システム。
【請求項７】
貨幣を機体内に収納する機体内収納部と、
複数の種類の硬貨のいずれかを載置する拡張装置と接続する接続部と、
前記機体内収納部に収納された貨幣の在高及び前記拡張装置に載置された硬貨の在高を管理する管理部と
を備えたことを特徴とする貨幣処理装置。
【請求項８】
複数の種類の硬貨のいずれかを載置された拡張装置が、載置された硬貨の在高を特定する特定ステップと、
前記拡張装置が、前記特定ステップで特定された硬貨の在高を貨幣処理装置に通知する通知ステップと、
前記貨幣処理装置が、機体内に収納された貨幣の在高及び前記拡張装置から通知された硬貨の在高を管理する管理ステップと
を含むことを特徴とする貨幣処理方法。
【発明の詳細な説明】
【技術分野】
【０００１】
この発明は、機体内に貨幣を収納する貨幣処理装置、貨幣処理装置を有する貨幣処理システム及び貨幣処理方法に関する。
【背景技術】
【０００２】
従来、スーパーマーケットやコンビニエンスストア等の商業施設の店舗では、精算所であるレジにＰＯＳ（Point Of Sales）端末及びレジ釣銭機を設置し、商品と引き換えに顧客からレジ担当者に手渡された貨幣の入金処理を行うとともに、釣銭としての貨幣の出金処理を行っている。
【０００３】
また、入出金の管理に硬貨収納装置が用いられることもある。硬貨収納装置は、硬貨を重ねて収納する複数列の収納部を有し、各列に収納すべき硬貨の種類（例えば金種）が設定されている。各列の収納部は設定された種類の硬貨の径などに合わせた形状を有し、設定された種類の硬貨の厚みに応じて目盛りが付されているため、収納した硬貨の枚数が確認できる。
【０００４】
さらに、収納した硬貨の枚数を計数し、計数結果を表示する硬貨収納装置も知られている。例えば、特許文献１は、硬貨などを収納する硬貨類収納部の近傍に電磁誘導コイルを配置し、電磁誘導コイルにかかる電圧などから硬貨類の数量を求めて表示する技術を開示している。
【先行技術文献】
【特許文献】
【０００５】
【特許文献１】特許第５３３０８７０号
【発明の概要】
【発明が解決しようとする課題】
【０００６】
しかしながら、商品の決済に係る入出金にレジ釣銭機を用いる構成では、入出金の処理速度が不十分であるという問題点があった。例えば、釣銭として硬貨を出金処理する場合に、レジ釣銭機は内部に収納した硬貨を一枚ずつ繰り出すため、出金処理に要する時間が長くなる。また、入金処理においても、投入された貨幣を内部で１枚ずつ搬送して識別し、識別結果から入金金額を確定するため、入金処理に要する時間が長くなる。
【０００７】
このため、決済に係る入出金処理においていかにして処理を高速化するかが重要な課題となっていた。特にコンビニエンスストアなどでは、迅速な入出金への要望が強い上、小型かつ安価であることが求められる。
【０００８】
本発明は、上記従来技術の問題点を解消し、課題を解決するためになされたものであって、入出金の処理速度を向上した貨幣処理システム、貨幣処理装置及び貨幣処理方法を提供することを目的とする。
【課題を解決するための手段】
【０００９】
上述した課題を解決し、目的を達成するため、本発明は、複数の種類の硬貨のいずれかを載置し、載置された硬貨に係るデータ及び種類に係るデータに基づいて、載置された硬貨の在高を特定する特定部と、前記特定部で特定された硬貨の在高を貨幣処理装置に通知する通知部とを備えた拡張装置と、機体内に収納された貨幣の在高及び前記拡張装置から通知された硬貨の在高を管理する管理部を備えた貨幣処理装置とを有することを特徴とする。
【００１０】
また、本発明は、上記の発明において、前記拡張装置は、複数の種類の硬貨のいずれかを複数枚重畳して載置することで収納する収納部を備え、前記特定部は、前記収納部に載置することで収納された硬貨の在高を特定することを特徴とする。
【００１１】
また、本発明は、上記の発明において、前記貨幣処理装置は、前記拡張装置から通知された硬貨の在高を所定の表示部に表示制御することを特徴とする。
【００１２】
また、本発明は、上記の発明において、前記貨幣処理装置は、前記拡張装置に対して出金金額を通知し、前記拡張装置は、前記出金金額の通知後に前記収納部から取り出された硬貨の合計金額が通知された出金金額を超える場合に警報を出力することを特徴とする。
【００１３】
また、本発明は、上記の発明において、前記貨幣処理装置は、前記拡張装置に対して入出金の開始を通知し、前記拡張装置は、前記入出金の開始の通知後に生じた硬貨の在高の変化を入出金の結果として前記貨幣処理装置に通知することを特徴とする。
【００１４】
また、本発明は、上記の発明において、前記拡張装置は、前記硬貨を一時的に載置する載置部を備え、前記特定部は、前記載置部に載置された硬貨の在高を特定し、前記貨幣処理装置は、前記拡張装置から通知された硬貨の在高を機体内に収納予定の硬貨の在高として受け付けることを特徴とする。
【００１５】
また、本発明は、貨幣を機体内に収納する機体内収納部と、複数の種類の硬貨のいずれかを載置する拡張装置と接続する接続部と、前記機体内収納部に収納された貨幣の在高及び前記拡張装置に載置された硬貨の在高を管理する管理部とを備えたことを特徴とする。
【００１６】
また、本発明は、複数の種類の硬貨のいずれかを載置された拡張装置が、載置された硬貨の在高を特定する特定ステップと、前記拡張装置が、前記特定ステップで特定された硬貨の在高を貨幣処理装置に通知する通知ステップと、前記貨幣処理装置が、機体内に収納された貨幣の在高及び前記拡張装置から通知された硬貨の在高を管理する管理ステップとを含むことを特徴とする。
【発明の効果】
【００１７】
本発明によれば、入出金の処理速度を向上した貨幣処理システム、貨幣処理装置及び貨幣処理方法を提供することができる。
【図面の簡単な説明】
【００１８】
【図１】図１は、図１は、実施例に係る貨幣処理システムの概念を説明するための説明図である。
【図２】図２は、硬貨収納装置の外観構成及び内部構成についての説明図である。
【図３】図３は、硬貨収納装置の機能ブロック図である。
【図４】図４は、図３に示した硬貨特性データ、収納設定データ及び収納状態データの一例を示す図である。
【図５】図５は、貨幣釣銭機及びＰＯＳレジスタの外観を示す斜視図である。
【図６】図６は、図５に示す貨幣釣銭機における紙幣処理ユニットの内部構成を側方から見たときの構成図である。
【図７】図７は、図５に示す貨幣釣銭機における硬貨処理ユニットの内部構成を上方から見たときの構成図である。
【図８】図８は、図５に示す貨幣釣銭機において包装硬貨収納ユニットの収納ドロアを筐体から引き出したときの構成を上方から見たときの構成図である。
【図９】図９は、図５に示す貨幣釣銭機及びＰＯＳレジスタにおける制御系の構成を示す機能ブロック図である。
【図１０】図１０は、在高の表示制御についての説明図である。
【図１１】図１１は、硬貨収納装置からの出金についての説明図である。
【図１２】図１２は、硬貨収納装置に入金する運用についての説明図である。
【図１３】図１３は、硬貨収納装置に入金した硬貨の計数についての説明図である。
【図１４】図１４は、貨幣釣銭機から硬貨収納装置への硬貨の補充についての説明図である。
【図１５】図１５は、ＰＯＳレジスタによる在高の確認についての説明図である。
【図１６】図１６は、硬貨収納装置から貨幣釣銭機への硬貨の補充についての説明図である。
【図１７】図１７は、貨幣釣銭機と硬貨収納装置との連携の具体例についての説明図である。
【図１８】図１８は、ＰＯＳレジスタに貨幣釣銭機と硬貨収納装置とを接続した構成の説明図である。
【図１９】図１９は、吟味台で硬貨を識別する構成についての説明図である。
【図２０】図２０は、図１９に示した硬貨識別ユニットの構成を示す構成図である。
【発明を実施するための形態】
【００１９】
以下に、添付図面を参照して、本発明に係る貨幣処理システム、貨幣処理装置及び貨幣処理方法の実施例を説明する。
【実施例】
【００２０】
＜貨幣処理システムの概念＞
まず、本実施例に係る貨幣処理システムの概念について説明する。図１は、実施例に係る貨幣処理システムの概念を説明するための説明図である。本実施例に係る貨幣処理システムは、店舗の精算所で決済を行うシステムであり、ＰＯＳ端末であるＰＯＳレジスタ２９０に貨幣釣銭機２００を接続し、貨幣釣銭機２００に硬貨収納装置１０を接続した構成を有する。
【００２１】
ＰＯＳレジスタ２９０は、バーコードの読み取りになどによって販売する商品を識別し、代金を特定し、商品の販売実績を管理する。また、ＰＯＳレジスタ２９０は、ペイメントカード（クレジットカード、デビットカード、プリペイドカード等）による代金の決済が可能である。また、ＰＯＳレジスタ２９０は、代金の決済が現金で行われる場合には、貨幣釣銭機２００から入金金額の通知を受け、必要に応じて釣銭の出金を貨幣釣銭機２００に行わせる。
【００２２】
貨幣釣銭機２００は、機体内に貨幣を収納する収納部を有し、貨幣の入出金が可能な貨幣処理装置である。具体的には、貨幣釣銭機２００は、入金口に投入された貨幣を識別して対応する収納部に搬送することで入金を行い、指定された貨幣を対応する収納部から出金口に搬送することで出金を行う。
【００２３】
貨幣釣銭機２００に接続された硬貨収納装置１０は、硬貨を抜き取り可能に載置して収納する装置である。硬貨収納装置１０は、硬貨を重ねて収納する複数列の収納部を有し、各列に収納すべき硬貨の種類（例えば金種）が設定されている。また硬貨収納装置１０は、収納された硬貨の枚数を計数し、計数結果を貨幣釣銭機２００に出力することができる。
【００２４】
貨幣釣銭機２００は、自装置の貨幣の在高に加え、硬貨収納装置１０における硬貨の在高を管理する。そして、出金が必要となった場合には、硬貨収納装置１０からの硬貨の抜き取りにより出金を行わせることができる。
【００２５】
図１では、現金で決済を行う場合の処理について示している。まず、レジ担当者は、顧客から受け取った商品の代金としての貨幣を貨幣釣銭機２００に入金する（１）。貨幣釣銭機２００は、入金された貨幣の金種及び枚数を識別し、入金金額を算定してＰＯＳレジスタ２９０に通知する（２）。
【００２６】
ＰＯＳレジスタ２９０は、通知された入金金額と商品から読み取った価格とを用いて決済処理を実行し（３）、釣銭金額を貨幣釣銭機２００に通知する（４）。貨幣釣銭機２００は、釣銭金額に応じて硬貨収納装置１０に出金指示を行う（５）。
【００２７】
出金指示を受けた硬貨収納装置１０は、出金指示に示された金額分の硬貨の抜き取りによる出金（６）が行われるか否かを監視し、出金指示に示された金額分を超えて硬貨の抜き取りが行われた場合には警報を出力する。
【００２８】
このように、図１に示した貨幣処理システムでは、機体内に貨幣を収納する貨幣釣銭機２００と、硬貨を抜き取り可能に載置して収納する硬貨収納装置１０とを接続し、硬貨収納装置１０からの硬貨の抜き取りにより出金を行うことができる。このため、貨幣釣銭機２００から貨幣を出金する場合に比べ処理速度を向上することができる。
【００２９】
なお、出金の全てを硬貨収納装置１０にて行う必要は無い。例えば、釣銭に紙幣を含める場合には、紙幣については貨幣釣銭機２００が出金すればよい。
【００３０】
＜硬貨収納装置の構成＞
次に、硬貨収納装置１０の外観構成及び内部構成について説明する。図２は、硬貨収納装置１０の外観構成及び内部構成についての説明図である。図２（ａ）は、硬貨収納装置１０の外観の斜視図である。図２（ｂ）は、図２（ａ）のＡ−Ａ線断面図であり、図２（ｃ）は、硬貨の収納部に正対する正面図である。
【００３１】
図２（ａ）及び図２（ｃ）に示すように、硬貨収納装置１０は、６列の収納部１２と、表示部１１とを有する。収納部１２のそれぞれは、硬貨の面を重ねて収納するための谷状の凹部を有し、収納された硬貨が重ねられた状態を維持するよう水平面に対して傾きを設けられている。この構造により、収納部１２で重畳された硬貨は、傾いた円柱形状を維持する。また、収納された硬貨を任意に抜き取り可能とするため、円柱形状のうち上方の半円分は開放されている。
【００３２】
また、図２（ｂ）の断面図に示すように、収納部１２の下方には検知回路部１３が埋め込まれている。この検知回路部１３は、複数の収納部１２に対してそれぞれ設けられ、各収納部１２から硬貨数量対応データを取得する。一例として、検知回路部１３は、対応する収納部１２の近傍に磁界を生成する電磁誘導コイルと、電圧又は電流を計測する計測部とを有する。収納部１２に硬貨が収納されると、インピーダンスが変化することにより電圧値や電流値に変化が生じるので、検知回路部１３が出力する電圧値や電流値は硬貨数量対応データとして用いることができる。
【００３３】
表示部１１は、液晶ディスプレイや７ＳＥＧディスプレイなどの表示デバイスであり、硬貨収納装置１０に収納された硬貨に係る情報の表示に用いられる。詳細については後述するが、表示される情報には、収納されている硬貨の合計金額、入出金の金額などが含まれる。
【００３４】
＜硬貨収納装置の機能＞
次に、硬貨収納装置１０の機能的な内部構成を説明する。図３は、硬貨収納装置１０の機能ブロック図である。図３に示すように、硬貨収納装置１０は、表示部１１と複数の検知回路部１３に加え、操作部１４、外部接続インタフェース１５、記憶部１６及び制御部１７を有する。
【００３５】
操作部１４は、スイッチ、物理キー、タッチパネルなどであり、操作者からの操作の受け付けに用いられる。外部接続インタフェース１５は、貨幣釣銭機２００などの外部の装置と接続するためのインタフェースである。
【００３６】
記憶部１６は、不揮発性メモリ等の記憶デバイスであり、硬貨特性データ１６ａ、収納設定データ１６ｂ及び収納状態データ１６ｃを記憶する。硬貨特性データ１６ａは、硬貨の種類ごとにその特性を示す特性データを対応付けたデータである。収納設定データ１６ｂは、収納部１２を一意に識別する収納部ＩＤに収納対象とする硬貨の種類を対応付けたデータである。収納状態データ１６ｃは、収納部１２にどれだけの硬貨が収納されているかを示すデータである。
【００３７】
制御部１７は、硬貨収納装置１０の全体を制御する制御部であり、収納枚数特定部１７ａ、収納枚数管理部１７ｂ、金額算定部１７ｃ及び入出金制御部１７ｄを有する。
【００３８】
収納枚数特定部１７ａは、収納部１２に収納された硬貨の枚数を特定する処理部である。収納枚数特定部１７ａは、複数の検知回路部１３がそれぞれ出力する硬貨数量対応データと、対応する収納部１２に設定された硬貨の種類と、当該硬貨の種類の特性データと用い、各収納部１２に収納された硬貨の枚数を特定する。収納部にいずれの硬貨の種類が割り当てられているかは収納設定データ１６ｂを参照して特定し、硬貨の種類に係る特性データは硬貨特性データ１６ａを参照して特定する。
【００３９】
収納枚数管理部１７ｂは、各収納部１２に収納された硬貨の枚数が収納枚数特定部１７ａにより特定された場合に、各収納部１２の硬貨の枚数を収納状態データ１６ｃに登録することで管理する処理部である。また、収納枚数管理部１７ｂは、硬貨の種類別の収納枚数を算定し、収納状態データ１６ｃに登録することで管理する。すなわち、複数の収納部１２に同一の硬貨の種類が設定されている場合には、その収納枚数を合計することで硬貨の種類別の収納枚数を算定することになる。
【００４０】
収納枚数管理部１７ｂは、各収納部１２の収納枚数や硬貨の種類別の収納枚数を表示部１１に表示制御することができる。
【００４１】
金額算定部１７ｃは、各収納部１２の収納枚数に増減があった場合に、入金又は出金された金額を算定する処理部である。入出金の金額は、収納枚数の増減と、各硬貨の種類の額面から求めることができる。また、金額算定部１７ｃは、各収納部１２の収納枚数と、各硬貨の種類の額面から収納中の硬貨の合計金額を算定する。
【００４２】
金額算定部１７ｃは、入出金の金額や収納中の硬貨の合計金額を表示部１１に表示制御することができる。
【００４３】
入出金制御部１７ｄは、収納部１２への入金や出金を制御する処理部である。入出金制御部１７ｄは、入出金を監視する監視モードのセットと解除を行うことができる。監視モードがセットされた状態で硬貨の枚数の増減が発生すると、入出金制御部１７ｄは、表示部１１に警報出力を行う。また、図示しないスピーカによる音声出力や所定の連絡先への通信により警報を出力してもよい。監視モードがセットされた後、入出金を行う場合には、所定の解除操作等により監視モードを解除することになる。なお、入出金のために監視モードを一時的に解除した場合には、所定時間経過などより自動的に監視モードを再開するよう構成してもよい。また、監視モードをセットせずに運用することも可能である。
【００４４】
また、入出金制御部１７ｄは、貨幣釣銭機２００との連携に係る制御を行う。具体的には、貨幣釣銭機２００からの要求に応じて収納状態データ１６ｃを参照し、硬貨の在高を応答する。貨幣釣銭機２００に提供する在高には、硬貨の種類別枚数、種類別の金額、合計金額を含めることができる。なお、既存の収納状態データ１６ｃを参照して応答を行う他、収納枚数特定部１７ａに再度収納枚数の特定を行わせ、収納状態データ１６ｃを最新の状態に更新してから応答を行ってもよい。
【００４５】
また、入出金制御部１７ｄは、貨幣釣銭機２００から出金指示を受信した場合には、出金指示に示された金額分の硬貨が抜き取られるか否かを監視し、出金指示に示された金額分を超えて硬貨の抜き取りが行われた場合には警報を出力する。また、出金指示の後、硬貨の抜き取りによる出金の結果を貨幣釣銭機２００に通知する。
【００４６】
また、入出金制御部１７ｄは、貨幣釣銭機２００から計数指示を受信した場合には、計数指示の受信時点での在高を基準に硬貨の増減数を計数し、計数結果を貨幣釣銭機２００に通知する。
【００４７】
また、入出金制御部１７ｄは、貨幣釣銭機２００から硬貨収納装置１０への硬貨の補充に係る制御を行う。具体的には、貨幣釣銭機２００から不足枚数の問い合せを受けた場合には、各硬貨の種類について在高が十分であるか否かを判定し、不足がある場合には不足枚数として貨幣釣銭機２００に通知する。貨幣釣銭機２００は、不足枚数を自装置から出金処理し、出金処理された硬貨は硬貨収納装置１０に収納されることになる。
【００４８】
また、入出金制御部１７ｄは、硬貨収納装置１０から貨幣釣銭機２００への硬貨の補充に係る制御を行う。具体的には、貨幣釣銭機２００から補充要求を受信した場合には、入出金制御部１７ｄは、硬貨の在高の増減を監視し、抜き取られた硬貨の種類と枚数を貨幣釣銭機２００に通知する。貨幣釣銭機２００は、硬貨収納装置１０から抜き取られた硬貨の入金を受け付け、自装置に入金された硬貨の種類と枚数が硬貨収納装置１０から抜き取られた硬貨の種類と枚数に一致するか否かを判定することができる。
【００４９】
＜硬貨収納装置が保持するデータ＞
次に、図３に示した硬貨特性データ１６ａ、収納設定データ１６ｂ及び収納状態データ１６ｃの一例について図４を用いて説明する。図４は、図３に示した硬貨特性データ１６ａ、収納設定データ１６ｂ及び収納状態データ１６ｃの一例を示す図である。
【００５０】
図４（ａ）に示す硬貨特性データ１６ａは、硬貨の種類に対して特性データや額面などの硬貨の種類にかかるデータを対応付けたデータである。具体的には種類「ＪＰ５００」に対し、電気特性などの特性データと額面「５００円」を対応付けている。同様に、種類「ＪＰ１００」に対し、電気特性などの特性データと額面「１００円」を対応付けている。また、種類「ＪＰ５０」に対し、電気特性などの特性データと額面「５０円」を対応付けている。なお、硬貨特性データ１６ａには、特性データと額面の他、硬貨の発行国など、硬貨の種類に係る任意のデータを含めることができる。
【００５１】
図４（ｂ）に示す収納設定データ１６ｂは、収納部１２を一意に識別する収納部ＩＤに収納対象とする種類を対応付けたデータである。具体的には、収納部ＩＤ「Ｌ０１」に種類「ＪＰ５００」を対応付け、収納部ＩＤ「Ｌ０２」及び収納部ＩＤ「Ｌ０３」に種類「ＪＰ１００」を対応付けている。また、収納部ＩＤ「Ｌ０４」に種類「ＪＰ５０」を対応付け、収納部ＩＤ「Ｌ０５」に種類「ＪＰ１０」を対応付け、収納部ＩＤ「Ｌ０６」に種類「ＪＰ１」を対応付けている。このように、複数の収納部１２に同一の硬貨の種類を対応付けてもよく、また、収納部１２に割り当てていない硬貨の種類があってもよい。
【００５２】
図４（ｃ）に示す収納状態データ１６ｃは、収納部１２にどれだけの硬貨が収納されているかを示すデータであり、収納部１２ごとの収納枚数と、種類別の収納枚数と、種類別の収納金額と、合計金額とを含む。
【００５３】
具体的には、図４（ｃ）の収納状態データ１６ｃは、収納部ＩＤ「Ｌ０１」の収納部１２に硬貨が「１０」枚収納され、収納部ＩＤ「Ｌ０２」の収納部１２に硬貨が「１５」枚収納され、収納部ＩＤ「Ｌ０３」の収納部１２に硬貨が「３」枚収納され、収納部ＩＤ「Ｌ０４」の収納部１２に硬貨が「４」枚収納され、収納部ＩＤ「Ｌ０５」の収納部１２に硬貨が「１０」枚収納され、収納部ＩＤ「Ｌ０６」の収納部１２に硬貨が「０」枚収納された状態を示している。
【００５４】
そして、収納部ＩＤ「Ｌ０１」には種類「ＪＰ５００」が設定され、収納部ＩＤ「Ｌ０２」及び収納部ＩＤ「Ｌ０３」には種類「ＪＰ１００」が設定され、収納部ＩＤ「Ｌ０４」には種類「ＪＰ５０」が設定され、収納部ＩＤ「Ｌ０５」には種類「ＪＰ１０」が設定され、収納部ＩＤ「Ｌ０６」には種類「ＪＰ１」が設定されている。
【００５５】
このため、種類「ＪＰ５００」の種類別の収納枚数は「１０」枚であり、種類別金額は「５０００」円である。また、種類「ＪＰ１００」の種類別の収納枚数は「１８」枚であり、種類別金額は「１８００」円である。種類「ＪＰ５０」の種類別の収納枚数は「４」枚であり、種類別金額は「２００」円である。種類「ＪＰ１０」の種類別の収納枚数は「１０」枚であり、種類別金額は「１００」円である。種類「ＪＰ１」の種類別の収納枚数は「０」枚であり、種類別金額は「０」円である。従って、合計金額は「７１００」円となっている。
【００５６】
＜貨幣釣銭機２００の構成＞
次に、貨幣釣銭機２００の詳細な構成について図５〜図９を用いて説明する。図５等に示すように、本実施例による貨幣釣銭機２００は、上下に並ぶよう配置された硬貨処理ユニット２５０及び包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、包装硬貨収納ユニット２８０は、各金種の包装硬貨を取り出し可能に収納する。また、ＰＯＳレジスタ２９０は、貨幣釣銭機２００の管理を行う管理装置として用いられる。
【００５７】
まず、紙幣処理ユニット２１０の構成について図５及び図６を用いて具体的に説明する。図５及び図６に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図６において、筐体２１２の右側の側面が紙幣処理ユニット２１０の手前側の面となっており、図６における左向きの方向が紙幣処理ユニット２１０の奥行き方向となっている。
【００５８】
図６に示すように、搬送部２３０は、筐体２１２の中央位置に配置された周回搬送部２３０ａ及び複数の接続搬送部２３０ｂから構成されている。また、紙幣受入部２２０、紙幣払出部２２２、出金リジェクト部２２４、紙幣搬送用の収納カセットを着脱自在に装着可能なカセット装着部２２６及び３つの紙幣収納部２３４、２３６、２３８が、それぞれ周回搬送部２３０ａを取り囲むよう配置されている。
【００５９】
また、図６に示すように、複数の接続搬送部２３０ｂの各々により、紙幣受入部２２０、紙幣払出部２２２、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００６０】
周回搬送部２３０ａは、図６における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００６１】
図５及び図６に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセットをカセット装着部２２６に装着させたり、このカセット装着部２２６から収納カセットを取り出したりすることができる。
【００６２】
また、図９に示すように、カセット装着部２２６には、当該カセット装着部２２６に装着された収納カセットに設けられているＩＣタグに様々な情報を書き込む書込部２２８及び当該ＩＣタグから様々な情報を読み取る読取部２２９がそれぞれ設けられている。
【００６３】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００６４】
紙幣払出部２２２は、各紙幣収納部２３４、２３６、２３８から周回搬送部２３０ａに繰り出された紙幣を紙幣取出口２２２ａにより筐体２１２の外部へ放出するよう構成されている。
【００６５】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２０から筐体２１２の内部に取り込まれた紙幣のうち、入金処理時において汚損等により識別部２３２で識別することができない紙幣は、入金リジェクト紙幣として紙幣払出部２２２に返却される。
【００６６】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には二千円札及び五千円札が混合状態で収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００６７】
次に、硬貨処理ユニット２５０の構成について説明する。図５及び図７に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００６８】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図９参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図７に示すように、硬貨受入部２５２には、当該硬貨受入部２５２により筐体２５１の内部に繰り出された硬貨を搬送する入金搬送部２５４が接続されている。
【００６９】
図７に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００７０】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図７における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００７１】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００７２】
次に、包装硬貨収納ユニット２８０の構成について具体的に説明する。図５及び図８に示すように、包装硬貨収納ユニット２８０は、手前側の側面が開口している略直方体形状の筐体２８１と、筐体２８１内に収容可能となっているとともに当該筐体２８１から手前側に引き出し可能な収納ドロア２８２とを備えており、収納ドロア２８２には各金種の包装硬貨が例えば２列で収納される（図８において、収納ドロア２８２に収納された各金種の包装硬貨を斜線で示している）。
【００７３】
ここで、収納ドロア２８２には、包装硬貨を１本ずつ収納する収納部（ポケット）が複数個形成されており、各収納部に収納される包装硬貨の金種毎の収納本数及び位置が予め設定されている。具体的には、図８において参照符号Ａで示す領域には８本の１００円の包装硬貨が収納可能となっており、参照符号Ｂで示す領域には１本の５００円の包装硬貨が収納可能となっており、参照符号Ｃで示す領域には１本の５０円の包装硬貨が収納可能となっている。また、図８において参照符号Ｄで示す領域には６本の１０円の包装硬貨が収納可能となっており、参照符号Ｅで示す領域には４本の１円の包装硬貨が収納可能となっており、参照符号Ｆで示す領域には１本の５円の包装硬貨が収納可能となっている。
【００７４】
また、図９に示すように、包装硬貨収納ユニット２８０の筐体２８１の内部には、収納ドロア２８２が筐体２８１に完全に収容されたときに当該収納ドロア２８２を筐体２８１内にロックするためのロック機構２８６が設けられている。ここで、ロック機構２８６が収納ドロア２８２を筐体２８１の内部にロックしたときには、この収納ドロア２８２を筐体２８１から手前側に引き出すことができなくなり、よって収納ドロア２８２から包装硬貨を取り出すことができなくなる。
【００７５】
また、包装硬貨収納ユニット２８０の筐体２８１における前面開口の近傍には、収納ドロア２８２が筐体２８１から手前側に引き出されたり筐体２８１の内部に戻されたりする際に、当該収納ドロア２８２に収納されている包装硬貨の金種毎の本数を検知する検知部２８４が設けられている。具体的には、図８等に示すように、検知部２８４は左右一対の光センサ２８４ａ及び筐体２８１からの収納ドロア２８２の引き出し量を検知するロータリエンコーダ２８４ｂを有している。
【００７６】
ここで、各光センサ２８４ａは、発光素子及び受光素子を有しており、発光素子から発せられた光は、包装硬貨収納ユニット２８０の幅方向（図８における左右方向）に延びる光軸を通って受光素子に送られる。そして、収納ドロア２８２が筐体２８１の内部に完全に収容されていたり当該収納ドロア２８２が筐体２８１から完全に引き出されたりしているときには、各光センサ２８４ａにおいて発光素子から発せられた光は受光素子により受けられる。一方、収納ドロア２８２が筐体２８１から手前側に引き出されたり筐体２８１の内部に戻されたりする際に、発光素子から発せられた光が収納ドロア２８２内に収納された包装硬貨により遮られることにより受光素子に届かなくなり、このことにより包装硬貨の孔の有無や直径の大きさが検知される。
【００７７】
前述したように、収納ドロア２８２において、収納される包装硬貨の金種毎の収納本数及び位置が予め設定されているため、光センサ２８４ａにより検知された包装硬貨の孔の有無や直径の大きさ、ならびにロータリエンコーダ２８４ｂにより検知された筐体２８１からの収納ドロア２８２の引き出し量に基づいて、収納ドロア２８２に収納された包装硬貨の金種毎の本数、及び各包装硬貨が収納ドロア２８２内の所定の位置に正しく収納されているか否か等が検知される。
【００７８】
なお、本実施例による包装硬貨収納ユニット２８０は上記の構成のものに限定されることはない。他の構成の包装硬貨収納ユニット２８０において、収納ドロア２８２に収納されている包装硬貨の金種毎の本数を検知する検知部２８４として、収納ドロア２８２の収納部に収納される包装硬貨の有無及び金種（材質）を検出するセンサを全ての収納部に配置するような方式のものが用いられてもよい。
【００７９】
＜ＰＯＳレジスタの構成＞
次に、ＰＯＳレジスタ２９０の構成について具体的に説明する。図５及び図９に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【００８０】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【００８１】
また、ＰＯＳレジスタ２９０には、カードリーダ２９６及び印字部２９７が設けられている（図９参照、図５では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【００８２】
＜貨幣釣銭機２００の制御系の構成＞
次に、このような貨幣釣銭機２００の制御系の構成について図９を用いて説明する。図９に示すように、硬貨処理ユニット２５０は、上位制御部２０２及び硬貨制御部２５０ａを有しており、これらの上位制御部２０２及び硬貨制御部２５０ａは互いに接続されている。
【００８３】
また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【００８４】
図９に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、操作表示部２０４、拡張装置管理部２０５、拡張装置制御部２０６、記憶部２０８及び拡張データ記憶部２０９がそれぞれ接続されている。
【００８５】
この上位制御部２０２は、通信部２０３により、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【００８６】
また、図示を省略したが、上位制御部２０２は、通信部２０３により硬貨収納装置１０と接続し、信号の送受信を行う。
【００８７】
操作表示部２０４は、硬貨処理ユニット２５０の筐体２５１の上面に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【００８８】
記憶部２０８には、紙幣処理ユニット２１０、硬貨処理ユニット２５０及び包装硬貨収納ユニット２８０の各々に収納されている貨幣の在高に係る情報や、貨幣釣銭機２００における貨幣の処理履歴等の様々な情報が記憶される。
【００８９】
拡張装置管理部２０５は、自装置の機能を拡張する外部の装置である拡張装置が接続された場合に、拡張装置の管理を行う処理部である。硬貨収納装置１０は、硬貨の収納機能を拡張する拡張装置の一種である。また、後述する硬貨識別装置も拡張装置の一種である。拡張装置管理部２０５は、自装置に接続された拡張装置の種類を識別し、拡張される機能の管理を行う。
【００９０】
拡張装置制御部２０６は、拡張装置の制御を行う処理部である。また、拡張データ記憶部２０９は、拡張装置に係る情報を記憶する記憶部である。
【００９１】
ここでは、拡張装置として硬貨収納装置１０を接続した場合の制御について説明する。拡張装置制御部２０６は、硬貨収納装置１０に対して在高の要求を送信し、硬貨収納装置１０の在高を取得することができる。取得した在高は、拡張データ記憶部２０９に記憶させることができるほか、操作表示部２０４に表示することができる。また、自装置に収納された貨幣の在高と硬貨収納装置１０の在高を合算して管理することもできる。拡張装置制御部２０６は、ＰＯＳレジスタ２９０から在高の問い合せを受けた場合には、合算した在高を通知する。
【００９２】
また、拡張装置制御部２０６は、硬貨収納装置１０に対して出金指示を送信することができる。この出金指示には、金額を指定する情報を含む。また、出金指示の送信後、拡張装置制御部２０６は、硬貨収納装置１０から出金結果の通知を受ける。例えば、ＰＯＳレジスタ２９０から釣銭金額の通知を受信した場合には、釣銭金額のうち硬貨による出金分の金額を指定した出金指示を硬貨収納装置１０に送信することになる。
【００９３】
また、拡張装置制御部２０６は、硬貨収納装置１０に計数指示を送信し、計数結果を取得することができる。計数結果は、計数指示の送信時点での在高を基準とした硬貨の増減数を示すものであり、硬貨収納装置１０に対して行われた入出金の金額の特定に用いることができる。
【００９４】
また、拡張装置制御部２０６は、硬貨収納装置１０に対して不足枚数の問い合せを送信し、不足枚数の通知を受けた場合には、不足枚数分の硬貨を自装置から出金処理する。このようにして出金した硬貨を硬貨収納装置１０に載置することで、硬貨収納装置１０における釣銭準備金の補充を行うことができる。
【００９５】
また、拡張装置制御部２０６は、自装置の硬貨が不足している場合には、硬貨収納装置１０に硬貨の補充要求を送信することができる。補充要求を送信した後、硬貨収納装置１０からは抜き取られた硬貨の種類と枚数が通知される。拡張装置制御部２０６は、硬貨収納装置１０から抜き取られた硬貨の入金を受け付け、自装置に入金された硬貨の種類と枚数が硬貨収納装置１０から抜き取られた硬貨の種類と枚数に一致するか否かを判定する。
【００９６】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、収納カセットに設けられたＩＣタグから読取部２２９により読み取られた情報が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【００９７】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【００９８】
また、包装硬貨収納ユニット２８０の包装硬貨制御部２８０ａには、通信部２８９、検知部２８４、ロック機構２８６及び記憶部２８８等が接続されており、検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【００９９】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【０１００】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【０１０１】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【０１０２】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【０１０３】
＜在高の表示制御＞
次に、在高の表示制御について説明する。図１０は、在高の表示制御についての説明図である。図１０に示すように、硬貨収納装置１０は、自装置に収納された硬貨の在高データを記憶している。具体的には、在高データは、収納状態データ１６ｃの一部である。
【０１０４】
硬貨収納装置１０は、自装置の在高を貨幣釣銭機２００に送信し、貨幣釣銭機２００は、硬貨収納装置１０の在高を操作表示部２０４に表示することができる。具体的には、図１０では、貨幣釣銭機２００は、硬貨収納装置１０における５００円硬貨の収納枚数が１０枚であり、１００円硬貨の収納枚数が１８枚であり、５０円硬貨の収納枚数が４枚であり、１０円硬貨の収納枚数が１０枚であり、５円硬貨の収納枚数が０枚であり、１円硬貨の収納枚数が０枚であり、合計の金額が７１００円であることを示す在高表示を行っている。
【０１０５】
図１０では、貨幣釣銭機２００は、硬貨収納装置１０のみの在高を表示しているが、この他に、貨幣釣銭機２００のみの在高の表示や、硬貨収納装置１０と貨幣釣銭機２００の在高の合算表示が可能である。
【０１０６】
＜硬貨収納装置からの出金＞
次に、硬貨収納装置１０からの出金について説明する。図１１は、硬貨収納装置１０からの出金についての説明図である。まず、貨幣釣銭機２００は、硬貨収納装置１０に対して出金指示を送信する（ステップＳ１０１）。この出金指示には、出金金額が示されている。
【０１０７】
硬貨収納装置１０は、出金指示を受信して出金を開始し（ステップＳ１１１）、出金指示の受信時点の在高を基準にして硬貨の抜き取りによる出金を監視する（ステップＳ１１２）。なお、出金指示の受信時点の在高が出金金額に満たない場合には、硬貨収納装置１０は、エラー報知を行う。
【０１０８】
硬貨収納装置１０は、出金指示に示された金額分を超えて硬貨の抜き取りが行われた場合には警報を出力する。また、在高の変化から一定時間が経過した場合に抜き取り確定と判定する。この抜き取りの確定により硬貨収納装置１０は出金を完了し（ステップＳ１１３）、出金結果を貨幣釣銭機２００に通知する。貨幣釣銭機２００は、出金結果を受信し（ステップＳ１０２）、どれだけの硬貨が出金されたかを特定する。
【０１０９】
＜硬貨収納装置に入金する運用＞
図１では、レジ担当者が顧客から受け取った貨幣を全て貨幣釣銭機２００に入金する運用を例示した。この運用では、硬貨についても貨幣釣銭機２００に投入することになるが、顧客から受け取った硬貨を硬貨収納装置１０に入金することとすれば、入金時の処理も高速化することができる。図１２は、硬貨収納装置１０に入金する運用についての説明図である。
【０１１０】
図１２に示すように、レジ担当者は、顧客から受け取った貨幣のうち、硬貨については硬貨収納装置１０に載置することで入金し（１ａ）、紙幣については貨幣釣銭機２００に投入することで入金する（１ｂ）
【０１１１】
硬貨収納装置１０は、入金された硬貨の金種及び枚数を特定し、入金金額を貨幣釣銭機２００に通知する（２ａ）。貨幣釣銭機２００は、入金された紙幣の金種及び枚数を識別し、硬貨収納装置１０への入金金額と合計し、合計の入金金額をＰＯＳレジスタ２９０に通知する（２ｂ）。
【０１１２】
ＰＯＳレジスタ２９０は、通知された入金金額と商品から読み取った価格とを用いて決済処理を実行し（３）、釣銭金額を貨幣釣銭機２００に通知する（４）。貨幣釣銭機２００は、釣銭金額に応じて硬貨収納装置１０に出金指示を行う（５）。
【０１１３】
出金指示を受けた硬貨収納装置１０は、出金指示に示された金額分の硬貨の抜き取りによる出金（６）が行われるか否かを監視し、出金指示に示された金額分を超えて硬貨の抜き取りが行われた場合には警報を出力する。
【０１１４】
＜硬貨収納装置に入金した硬貨の計数＞
次に、硬貨収納装置に入金した硬貨の計数について説明する。図１３は、硬貨収納装置に入金した硬貨の計数についての説明図である。まず、貨幣釣銭機２００は、硬貨収納装置１０に計数指示を送信する（ステップＳ２０１）。
【０１１５】
硬貨収納装置１０は、貨幣釣銭機２００から計数指示を受信すると、貨幣釣銭機２００に計数開始を通知し（ステップＳ２１１）、入金の計数を行う（ステップＳ２１２）。具体的には、硬貨収納装置１０は、計数指示の受信時点での在高を基準に硬貨の増減数を計数する。
【０１１６】
その後、貨幣釣銭機２００は、硬貨収納装置１０に計数結果を要求する（ステップＳ２０２）。硬貨収納装置１０は、この要求に応答して計数結果を通知する（ステップＳ２１３）。計数結果は、例えば金種別の増加枚数とすればよい。
【０１１７】
貨幣釣銭機２００は、硬貨収納装置１０から計数結果を受信し（ステップＳ２０３）、硬貨収納装置１０に計数終了指示を送信する（ステップＳ２０４）。硬貨収納装置１０は、計数終了指示によって計数を終了し、計数の終了を貨幣釣銭機２００に通知する（ステップＳ２１４）。
【０１１８】
＜貨幣釣銭機から硬貨収納装置への硬貨の補充＞
次に貨幣釣銭機２００から硬貨収納装置１０への硬貨の補充について説明する。図１４は、貨幣釣銭機２００から硬貨収納装置１０への硬貨の補充についての説明図である。まず、貨幣釣銭機２００は、硬貨収納装置１０に対して不足枚数の通知を要求する（ステップＳ３０１）。
【０１１９】
硬貨収納装置１０は、貨幣釣銭機２００から不足枚数の通知の要求を受けた場合には、各硬貨の種類について在高が十分であるか否かを判定し、不足がある場合には不足枚数として貨幣釣銭機２００に通知する（ステップＳ３１１）。
【０１２０】
貨幣釣銭機２００は、硬貨収納装置１０から不足枚数の通知を受けたならば、不足枚数分の硬貨を補充用として自装置から出金処理する（ステップＳ３０２）。レジ担当者は、貨幣釣銭機２００から出金された硬貨を硬貨収納装置１０に載置することで、硬貨収納装置１０における釣銭準備金を補充する。なお、硬貨収納装置１０が補充用の硬貨の入金を監視し、貨幣釣銭機２００から出金された補充用の硬貨が適正に硬貨収納装置１０に収納されたかを判定してもよい。
【０１２１】
＜ＰＯＳレジスタによる在高の確認＞
次に、ＰＯＳレジスタ２９０による在高の確認について説明する。図１５は、ＰＯＳレジスタ２９０による在高の確認についての説明図である。まず、ＰＯＳレジスタ２９０は、貨幣釣銭機２００に在高の通知を要求する（ステップＳ４０１）。
【０１２２】
貨幣釣銭機２００は、ＰＯＳレジスタ２９０から在高の通知の要求を受けたならば、硬貨収納装置１０に在高の通知を要求する（ステップＳ４１１）。硬貨収納装置１０は、貨幣釣銭機２００からの要求に応じて収納状態データ１６ｃを参照し、硬貨の在高を貨幣釣銭機２００に通知する（ステップＳ４２１）。このとき、収納枚数の特定を行って収納状態データ１６ｃを最新の状態に更新してから応答を行ってもよい。
【０１２３】
貨幣釣銭機２００は、硬貨収納装置１０から通知された在高と自装置の在高を合算し（ステップＳ４１２）、ＰＯＳレジスタ２９０に通知する（ステップＳ４１３）。ＰＯＳレジスタ２９０は、硬貨収納装置１０の在高と合算された在高を受信する（ステップＳ４０２）。
【０１２４】
＜硬貨収納装置から貨幣釣銭機への硬貨の補充＞
次に、硬貨収納装置１０から貨幣釣銭機２００への硬貨の補充について説明する。図１６は、硬貨収納装置１０から貨幣釣銭機２００への硬貨の補充についての説明図である。まず、貨幣釣銭機２００は、硬貨収納装置１０に対して補充要求を送信する（ステップＳ５０１）。
【０１２５】
硬貨収納装置１０は、貨幣釣銭機２００から補充要求を受信すると、貨幣釣銭機２００に出金開始を通知し（ステップＳ５１１）、出金の計数を行う（ステップＳ５１２）。具体的には、硬貨収納装置１０は、補充要求の受信時点での在高を基準に硬貨の増減数を計数する。
【０１２６】
その後、貨幣釣銭機２００は、硬貨収納装置１０に計数結果を要求する（ステップＳ５０２）。硬貨収納装置１０は、この要求に応答して計数結果を通知する（ステップＳ５１３）。計数結果は、例えば金種別の増加枚数とすればよい。
【０１２７】
貨幣釣銭機２００は、硬貨収納装置１０から計数結果を受信し（ステップＳ５０３）、硬貨収納装置１０に計数終了指示を送信する（ステップＳ５０４）。硬貨収納装置１０は、計数終了指示によって計数を終了し、計数の終了を貨幣釣銭機２００に通知する（ステップＳ５１４）。
【０１２８】
その後、貨幣釣銭機２００は、硬貨収納装置１０から補充用として出金された硬貨の入金を受け付ける（ステップＳ５０５）。この補充用硬貨の入金は、自装置に入金された硬貨の種類と枚数が硬貨収納装置１０から受信した計数結果に示された硬貨の種類と枚数に一致するまで継続される。自装置に入金された硬貨が計数結果に示された硬貨よりも少ないにも関わらず入金が終了した場合には警報を出力することが好適である。
【０１２９】
＜貨幣釣銭機と硬貨収納装置の連携の具体例＞
次に、貨幣釣銭機２００と硬貨収納装置１０との連携の具体例について説明する。図１７は、貨幣釣銭機２００と硬貨収納装置１０との連携の具体例についての説明図である。具体的には、ＰＯＳレジスタ２９０が入金処理を開始し、貨幣釣銭機２００への硬貨の投入により、貨幣釣銭機２００のいずれかの種類の硬貨の収納枚数が上限に達した場合を示している。
【０１３０】
図１７に示した具体例では、まず、ＰＯＳレジスタ２９０が入金処理を開始し、貨幣釣銭機２００に計数指示を送信している（１）。貨幣釣銭機２００は、ＰＯＳレジスタ２９０からの計数指示を受信して計数待機状態となり、硬貨収納装置１０に計数指示を送信する（２）。
【０１３１】
その後、貨幣釣銭機２００は、硬貨の投入を受け付け（３）、計数動作状態となる（３）。計数動作状態の貨幣釣銭機２００は、投入された硬貨を識別し、対応する収納繰出部２６０に収納する。しかし、いずれかの収納繰出部２６０の収納枚数が上限に達すると、収納部フル停止として硬貨の収納を停止し（４）、残りの硬貨を硬貨払出部２６６に排出して（５）、計数待機状態に戻る。貨幣釣銭機２００から排出された硬貨は、貨幣釣銭機２００からの計数指示により計数準備状態となっていた硬貨収納装置１０に収納される（６）
【０１３２】
その後、ＰＯＳレジスタ２９０が貨幣釣銭機２００に計数停止の指示を送信すると（７）、貨幣釣銭機２００は、計数停止状態となり、硬貨収納装置に計数終了の指示を送信する（８）。そして、ＰＯＳレジスタ２９０が貨幣釣銭機２００に計数結果を要求すると（９）、貨幣釣銭機２００は、まず、硬貨収納装置１０に計数結果を要求する（１０）。硬貨収納装置１０は、この要求に応答して計数結果を通知する（１１）。この計数結果は、計数指示の受信時点の在高を基準としており、硬貨収納装置１０への入金金額を示す。
【０１３３】
貨幣釣銭機２００は、硬貨収納装置１０から計数結果の通知を受けると、自装置の計数結果、すなわち、計数指示の受信時点を基準とした自装置への入金金額と合算し、ＰＯＳレジスタ２９０に計数結果として通知する（１２）。ＰＯＳレジスタ２９０は、計数結果の通知を受けて貨幣釣銭機２００に計数終了を指示する（１３）。この計数終了の指示を受けた貨幣釣銭機２００は、計数停止状態を終了する。
【０１３４】
＜ＰＯＳレジスタと硬貨収納装置の接続＞
これまでの説明では、ＰＯＳレジスタ２９０に貨幣釣銭機２００を接続し、貨幣釣銭機２００に硬貨収納装置１０を接続した構成を例示していたが、ＰＯＳレジスタに貨幣釣銭機と硬貨収納装置とを接続した構成としてもよい。図１８は、ＰＯＳレジスタに貨幣釣銭機と硬貨収納装置とを接続した構成の説明図である。
【０１３５】
図１８に示した構成では、ＰＯＳレジスタ３９０に貨幣釣銭機３００と硬貨収納装置１０とを接続している。この構成では、ＰＯＳレジスタ３９０が、貨幣釣銭機３００の在高と硬貨収納装置１０の在高を統合して管理する。そして、硬貨の出金が必要となった場合には、ＰＯＳレジスタ３９０が硬貨収納装置１０からの硬貨の抜き取りにより出金を行わせる。
【０１３６】
図１８では、現金で決済を行う場合の処理について示している。まず、レジ担当者は、顧客から受け取った商品の代金としての貨幣のうち、硬貨を硬貨収納装置１０に入金し（１ａ）、紙幣を貨幣釣銭機３００に入金する（１ｂ）。硬貨収納装置１０は、入金された硬貨の金種及び枚数を識別し、入金金額を算定してＰＯＳレジスタ３９０に通知する（２ａ）。同様に、貨幣釣銭機３００は、入金された紙幣の金種及び枚数を識別し、入金金額を算定してＰＯＳレジスタ３９０に通知する（２ｂ）。
【０１３７】
ＰＯＳレジスタ３９０は、貨幣釣銭機３００と硬貨収納装置１０から通知された入金金額を合計し、合計の入金金額と商品から読み取った価格とを用いて決済処理を実行する（３）。決済処理の結果、硬貨の釣銭が必要であれば、ＰＯＳレジスタ３９０は、硬貨出金指示を硬貨収納装置１０に送信し（４ａ）、硬貨収納装置１０は、硬貨出金指示に基づいて硬貨の出金を行う（５ａ）。また、決済処理の結果、紙幣の釣銭が必要であれば、ＰＯＳレジスタ３９０は、紙幣出金指示を貨幣釣銭機３００に送信し（４ｂ）、貨幣釣銭機３００は、紙幣出金指示に基づいて紙幣の出金を行う（５ｂ）。
【０１３８】
＜吟味台での硬貨識別＞
次に、吟味台で硬貨を識別し、識別結果を貨幣釣銭機が利用する構成について説明する。図１９は、吟味台で硬貨を識別する構成についての説明図である。図１９に示す構成では、レジ担当者が顧客から受け取った硬貨を貨幣釣銭機４００に投入する前に一時的に載置する載置部である吟味台３０を設けている。レジ担当者は、吟味台３０に硬貨を載置し、金種と枚数を確認した上で貨幣釣銭機４００に入金する。
【０１３９】
また、吟味台３０の近傍には硬貨識別ユニット２０が設けられている。硬貨識別ユニット２０は、吟味台３０に載置された硬貨の種類及び枚数を識別し、貨幣釣銭機４００に通知する。すなわち、硬貨識別ユニット２０は吟味台３０と組み合わせて用いることで、硬貨識別装置として機能する。
【０１４０】
貨幣釣銭機４００は、拡張装置として硬貨識別ユニット２０が接続されたならば、硬貨識別ユニット２０から通知された硬貨の種類及び枚数を機体内に収納予定の硬貨の種類及び枚数として受け付ける。すなわち、通知された硬貨の金額を入金金額として用いることができる。
【０１４１】
図１９では、レジ担当者は、顧客から受け取った貨幣のうち、硬貨については吟味台３０に載置して確認した上で貨幣釣銭機４００に入金し、紙幣については、直接、若しくは所定のクリップに挟んで確認した上で貨幣釣銭機４００に入金する（１）。
【０１４２】
硬貨識別ユニット２０は、吟味台３０に載置された硬貨の種類及び枚数を識別し、識別結果を貨幣釣銭機４００に通知する（２）。
【０１４３】
貨幣釣銭機４００は、入金された貨幣のうち、紙幣については種類と枚数の識別を行い、入金金額を算定する。一方、硬貨については硬貨識別ユニット２０から通知された識別結果を用いて入金金額を算定する。そして、紙幣の入金金額と硬貨の入金金額を合算し、ＰＯＳレジスタ２９０に通知する（３）。
【０１４４】
このように、図１９に示した貨幣処理システムでは、吟味台３０に載置された硬貨の種類及び枚数を識別する硬貨識別ユニット２０と貨幣釣銭機４００とを接続し、硬貨識別ユニット２０の識別結果を利用して入金金額を算定する。このため、貨幣釣銭機４００が硬貨の種類及び枚数を識別して入金金額を算定する構成に比して入金に係る処理速度を向上することができる。
【０１４５】
図２０は、図１９に示した硬貨識別ユニット２０の構成を示す構成図である。図２０に示すように、硬貨識別ユニット２０は、カメラ２１、外部接続インタフェース２２、記憶部２３及び制御部２４を有する。
【０１４６】
カメラ２１は、吟味台３０に載置された硬貨を撮像し、画像データを制御部２４に出力する。外部接続インタフェース２２は、貨幣釣銭機４００などの外部の装置と接続するためのインタフェースである。
【０１４７】
記憶部２３は、不揮発性メモリ等の記憶デバイスであり、硬貨パターンデータ２３ａを記憶する。硬貨パターンデータ２３ａは、硬貨の種類ごとにその外観上の特徴を示すデータであり、カメラ２１が撮像した硬貨の画像との比較に用いられる。
【０１４８】
制御部２４は、硬貨識別ユニット２０の全体を制御する制御部であり、硬貨識別部２４ａ及び通知部２４ｂを有する。硬貨識別部２４ａは、カメラ２１が撮像した画像データに対して画像処理を行って硬貨の画像を切り出し、硬貨の画像と硬貨パターンデータ２３ａと比較することで、吟味台３０に載置された硬貨の種類及び枚数を識別する。通知部２４ｂは、硬貨識別部２４ａによる識別結果を貨幣釣銭機４００に通知する処理を行う。
【０１４９】
上述してきたように、本実施例に係る貨幣処理システムは、貨幣処理装置である貨幣釣銭機に硬貨収納装置を接続し、硬貨収納装置が収納部に収納された硬貨の在高を特定して貨幣釣銭機に通知し、貨幣釣銭機が機体内に収納された貨幣の在高と硬貨収納装置から通知された硬貨の在高を管理するよう構成した。このため、硬貨収納装置を入出金に用いることができ、入出金の処理速度を向上することができる。
【０１５０】
また、硬貨を一時的に載置する載置部である吟味台に所在する硬貨の種類及び枚数を識別し、識別した硬貨の種類及び枚数を貨幣処理装置の機体内に収納予定の硬貨の種類及び枚数として用いることで、入金に係る処理速度を向上することができる。
【０１５１】
なお、本実施例では硬貨収納装置が磁界の変化を利用する構成を例示したが、本発明はこれに限定されることなく、硬貨の重量や厚みを用いて硬貨の枚数を特定する構成として実施してもよい。
【０１５２】
同様に、本実施例では硬貨識別装置が画像処理によって硬貨の種類と枚数を識別する構成を例示したが、本発明はこれに限定されることなく、任意の手法を用いることができる。
【０１５３】
また、硬貨収納装置と硬貨識別装置の双方を貨幣釣銭機に接続する構成であってもよい。また、複数の硬貨収納装置を貨幣釣銭機に接続してもよい。また、異なるレジにそれぞれ硬貨収納装置を配置し、異なるレジに配置した硬貨収納装置を同一の貨幣釣銭機に接続してもよい。この場合には、硬貨収納装置が各レジの簡易的な釣銭機として機能し、貨幣釣銭機が複数のレジを統合管理することになる。
【０１５４】
また、上述の各実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１５５】
以上のように、本発明に係る貨幣処理システム、貨幣処理装置及び貨幣処理方法は、入出金の処理速度を向上することに適している。
【符号の説明】
【０１５６】
１０  硬貨収納装置
１１  表示部
１２  収納部
１３  検知回路部
１４  操作部
１５、２２  外部接続インタフェース
１６、２３  記憶部
１６ａ  硬貨特性データ
１６ｂ  収納設定データ
１６ｃ  収納状態データ
１７、２４  制御部
１７ａ  収納枚数特定部
１７ｂ  収納枚数管理部
１７ｃ  金額算定部
１７ｄ  入出金制御部
２０  硬貨識別ユニット
２１  カメラ
２３ａ  硬貨パターンデータ
２４ａ  硬貨識別部
２４ｂ  通知部
３０  吟味台
２００、３００、４００  貨幣釣銭機
２０２    上位制御部
２０３    通信部
２０４    操作表示部
２０５    拡張装置管理部
２０６    拡張装置制御部
２０８    記憶部
２０９    拡張データ記憶部
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２６ａ  扉
２２８    書込部
２２９    読取部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    通信部
２５０    硬貨処理ユニット
２５０ａ  硬貨制御部
２５１    筐体
２５２    硬貨受入部
２５３    硬貨繰出機構
２５４    入金搬送部
２５６    識別部
２５８    分岐部
２６０    収納繰出部
２６２    出金搬送部
２６６    硬貨払出部
２８０    包装硬貨収納ユニット
２８０ａ  包装硬貨制御部
２８１    筐体
２８２    収納ドロア
２８４    検知部
２８４ａ  光センサ
２８４ｂ  ロータリエンコーダ
２８６    ロック機構
２８８    記憶部
２８９    通信部
２９０、３９０  ＰＯＳレジスタ
２９１    ＰＯＳ制御部
２９２    通信部
２９３    表示部
２９４    操作部
２９５    記憶部
２９６    カードリーダ
２９７    印字部
【図１】
2017168023.tif 000003
【図２】
2017168023.tif 000004
【図３】
2017168023.tif 000005
【図４】
2017168023.tif 000006
【図５】
2017168023.tif 000007
【図６】
2017168023.tif 000008
【図７】
2017168023.tif 000009
【図８】
2017168023.tif 000010
【図９】
2017168023.tif 000011
【図１０】
2017168023.tif 000012
【図１１】
2017168023.tif 000013
【図１２】
2017168023.tif 000014
【図１３】
2017168023.tif 000015
【図１４】
2017168023.tif 000016
【図１５】
2017168023.tif 000017
【図１６】
2017168023.tif 000018
【図１７】
2017168023.tif 000019
【図１８】
2017168023.tif 000020
【図１９】
2017168023.tif 000021
【図２０】
2017168023.tif 000022